(57)【要約】【課題】  薄型化を図る。【解決手段】  洗浄水が供給される供給用流路２３を有する供給部１６と洗浄水が噴射される噴射口２２を有するヘッド部１５とが一体に形成されて成る噴射ノズル１４を設け、ヘッド部の内部に供給用流路と噴射口とに連通する空間部１５ａを形成し、供給部の供給用流路から空間部に供給された洗浄水を、供給用流路内における流動方向に対して鋭角となる方向へ噴射口から噴射させるようにした。【選択図】        図５
2005178569.tif 000002
【特許請求の範囲】
【請求項１】
洗浄水が供給される供給用流路を有する供給部と洗浄水が噴射される噴射口を有するヘッド部とが一体に形成されて成る噴射ノズルを備え、
ヘッド部の内部には供給用流路と噴射口とに連通する空間部が形成され、
供給部の供給用流路から空間部に供給された洗浄水が、供給用流路内における流動方向に対して鋭角となる方向へ噴射口から噴射されるようにした
ことを特徴とする車輌用照明灯の洗浄装置。
【請求項２】
上記ヘッド部は外部と上記空間部とを連通する開口部を有し、
該開口部を閉塞する蓋部材を設け、
蓋部材の表面に空間部を流動する洗浄水の流路を制御する制御面を形成した
ことを特徴とする請求項１に記載の車輌用照明灯の洗浄装置。
【請求項３】
洗浄水を噴射ノズルに供給する流路を有する給水体を備え、
上記噴射ノズルの供給部の少なくとも一部を、外面を略球面状に形成すると共に上記給水体に連結される連結部として設けた
ことを特徴とする請求項１又は請求項２に記載の車輌用照明灯の洗浄装置。
【請求項４】
車輌用照明灯の洗浄時に車体から外側へ突出され、非洗浄時に車体の内側に収納されるようにした
ことを特徴とする請求項１、請求項２又は請求項３に記載の車輌用照明灯の洗浄装置。
【請求項５】
上記噴射ノズルのヘッド部と供給部とを、該供給部が連結される給水体に対して直線的に配置した
ことを特徴とする請求項１、請求項２、請求項３又は請求項４に記載の車輌用照明灯の洗浄装置。
【発明の詳細な説明】
【技術分野】
【０００１】
本発明は車輌用照明灯の洗浄装置についての技術分野に関する。詳しくは、噴射ノズルに洗浄水の流動方向を変換させる機能を持たせることにより薄型化を図る技術分野に関する。
【背景技術】
【０００２】
車輌用照明灯、例えば、車両用前照灯等の表面を洗浄する洗浄装置がある。
【０００３】
このような洗浄装置には、洗浄水を噴射するための噴射ノズルと該噴射ノズルを保持するノズルホルダーとを備えた以下のようなタイプがある（例えば、特許文献１参照）。
【０００４】
洗浄装置ａはシリンダーｂと該シリンダーｂに前後方向へ摺動自在に支持されたピストンｃとを備え、該ピストンｃの前端部にノズルホルダーｄが連結されている。
【０００５】
ノズルホルダーｄには略球形状に形成された噴射ノズルｅが保持され、該噴射ノズルｅはノズルホルダーｄに対して任意の方向へ回転可能とされている。従って、噴射ノズルｅをノズルホルダーｄに対して回転させることにより、噴射ノズルｅから噴射される洗浄水の噴射方向の調節を行うことができる。
【０００６】
シリンダーｂは車輌用前照灯ｆに保持部材ｇ、ｇを介して保持され、ノズルホルダーｄには、車輌用前照灯ｆの下側に配置されたレンズ部材ｈが取り付けられている。
【０００７】
洗浄装置ａは、車輌用前照灯ｆの非洗浄時には車体の内側に収納されており（図７に実線で示す状態）、洗浄時にはピストンｃがシリンダーｂから前方へ突出されることにより、レンズ部材ｈ、ノズルホルダーｄ及び噴射ノズルｅが一体となって車体の外側へ突出されていく（図７に破線で示す状態）。
【０００８】
噴射ノズルｅが車体の外側へ突出されると、図示しない洗浄水タンクから洗浄水がシリンダーｄ及びノズルホルダーｄを介して噴射ノズルｅに供給され、該噴射ノズルｅから車輌用前照灯ｆのレンズ表面（レンズカバー）へ向けて洗浄水が噴射される。
【０００９】
【特許文献１】特開２００１−２３３１８２号公報
【発明の開示】
【発明が解決しようとする課題】
【００１０】
ところで、上記した従来の洗浄装置にあっては、噴射ノズルｅをノズルホルダーｄに対して回転可能とするために、噴射ノズルｅが回転したときに、その下端部がノズルホルダーｄの内面に接触しないようにするための逃げ用の空間ｉがノズルホルダーｄの内部に形成されている。従って、シリンダーｂからノズルホルダーｄに供給された洗浄水は、空間ｉから噴射ノズルｅに供給されるときに流れる方向が略直交する方向に変換され、さらに噴射ノズルｅから噴射される直前において流れる方向が変換されて車輌用前照灯ｆのレンズ表面へ向けて噴射される。
【００１１】
ところが、従来の洗浄装置ａにおいては、上記のような逃げ用の空間ｉを形成する分、ノズルホルダーｄの高さが高くなり、洗浄装置ａの小型化及び薄型化に支障を来たすという問題がある。
【００１２】
特に、車輌用前照灯ｆのデザイン上の制約から、洗浄装置ａの高さ方向の縮小が求められる場合も多い。
【００１３】
そこで、本発明車輌用照明灯の洗浄装置は、上記した問題点を克服し、薄型化を図ることを課題とする。
【課題を解決するための手段】
【００１４】
本発明車輌用照明灯の洗浄装置は、上記した課題を解決するために、洗浄水が供給される供給用流路を有する供給部と洗浄水が噴射される噴射口を有するヘッド部とが一体に形成されて成る噴射ノズルを設け、ヘッド部の内部に供給用流路と噴射口とに連通する空間部を形成し、供給部の供給用流路から空間部に供給された洗浄水を、供給用流路内における流動方向に対して鋭角となる方向へ噴射口から噴射させるようにしたものである。
【００１５】
従って、本発明車輌用照明灯の洗浄装置にあっては、噴射ノズルの内部において洗浄水の流れる方向が鋭角を為すように変換される。
【発明の効果】
【００１６】
本発明車輌用照明灯の洗浄装置は、洗浄水が供給される供給用流路を有する供給部と洗浄水が噴射される噴射口を有するヘッド部とが一体に形成されて成る噴射ノズルを備え、ヘッド部の内部には供給用流路と噴射口とに連通する空間部が形成され、供給部の供給用流路から空間部に供給された洗浄水が、供給用流路内における流動方向に対して鋭角となる方向へ噴射口から噴射されるようにしたことを特徴とする。
【００１７】
従って、噴射ノズルの内部において洗浄水の流動方向が変換され、噴射ノズルを保持するためのノズルホルダーを必要としないため、その分、洗浄装置の高さを低くすることが可能であり、洗浄装置の薄型化を図ることができる。
【００１８】
請求項２に記載した発明にあっては、上記ヘッド部に外部と上記空間部とを連通する開口部を形成し、該開口部を閉塞する蓋部材を設け、蓋部材の表面に空間部を流動する洗浄水の流路を制御する制御面を形成したので、空間部の体積や形状を変更して洗浄水の所望の流路の確保や洗浄水の粒径の制御を行うことができる。
【００１９】
請求項３に記載した発明にあっては、洗浄水を噴射ノズルに供給する流路を有する給水体を設け、上記噴射ノズルの供給部の少なくとも一部を、外面を略球面状に形成すると共に上記給水体に連結される連結部として設けたので、噴射ノズルを給水体に対して任意の方向へ回転することが可能となり、この回転範囲内において噴射口から噴射される洗浄水の噴射方向の調節を行うことができる。
【００２０】
請求項４に記載した発明にあっては、車輌用照明灯の洗浄時に車体から外側へ突出され、非洗浄時に車体の内側に収納されるようにしたので、非使用時において車両の良好な見栄えを確保することができると共に洗浄装置の損傷の防止を図ることができる。
【００２１】
また、非洗浄時における洗浄装置の小型化を図ることができる。
【００２２】
請求項５に記載した発明にあっては、上記噴射ノズルのヘッド部と供給部とを、該供給部が連結される給水体に対して直線的に配置したので、噴射ノズルの高さ寸法を縮小することができる。
【発明を実施するための最良の形態】
【００２３】
以下に、本発明車輌用照明灯の洗浄装置の最良の形態を添付図面に従って説明する。以下に示す最良の形態は、本発明車輌用照明灯の洗浄装置を車輌用前照灯の洗浄装置に適用したものである。尚、本発明の適用範囲は車輌用前照灯の洗浄装置に限られることはなく、本発明は、車輌に備えられる全ての照明灯の洗浄装置に広く適用することができる。
【００２４】
先ず、車輌用前照灯の概要について説明する（図１参照）。
【００２５】
車輌用前照灯１００は照射ユニット１０１を備え、該照射ユニット１０１はレンズカバー１０２とレンズボデイ１０３とによって画成された空間１０４内に配置されている。
【００２６】
照射ユニット１０１はインナーパネル１０５と、該インナーパネル１０５の後端部に取り付けられた反射鏡１０６と、該反射鏡１０６に取り付けられた光源１０７と、該光源１０７から前方へ向けて出射された光を投影する投影レンズ１０８とを備え、該投影レンズ１０８がインナーパネル１０５に形成された開口１０５ａから前方に突出されている。反射鏡１０６によって形成された空間１０９には遮光部材１１０が配置されている。遮光部材１１０は光源１０７の前方に位置され、光源１０７から出射された下向きの光を遮ると共に車輌用配光における明暗境界を限定する役割を果たす。
【００２７】
レンズカバー１０２の下側にはカバー体１１１が配置され、該カバー体１１１は、透明材料によって形成されたレンズ部１１１ａと、不透明材料によって形成された反射部１１１ｂとによって構成されている。カバー体１１１にあっては、レンズ部１１１ａを通して反射部１１１ｂが視認され、反射部１１１ｂの後方に配置された後述する洗浄装置は視認されないようになっている。
【００２８】
尚、カバー体１１１は、例えば、バンパーに形成された開口を開閉するための部材であってもよい。
【００２９】
カバー体１１１には後方へ突出された取付部１１２が設けられている。レンズボデイ１０３の下面部１０３ａには、その下側へ突出された保持部材１１３、１１３が取り付けられている。
【００３０】
次に、洗浄装置について説明する。
【００３１】
洗浄装置１は、その本体部２がレンズボデイ１０３の下面部１０３ａに設けられた保持部材１１３、１１３に保持されている（図１参照）。
【００３２】
本体部２はシリンダー３と該シリンダー３に前後方向へ摺動自在に支持されたピストン４とを備えている（図１及び図２参照）。
【００３３】
シリンダー３は、図３に示すように、前後に長い円筒部３ａと該円筒部３ａの前縁に設けられた内フランジ部３ｂとが一体に形成されて成る。
【００３４】
ピストン４は前後方向に長い略円筒状に形成され、前後方向における長さがシリンダー３の円筒部３ａより稍長く形成されている。ピストン４の前端部は給水連結部４ａとして設けられ、他の部分より外径が稍小さくされている。給水連結部４ａには外方へ突出された係合突起４ｂ、４ｂが設けられている。ピストン４の内部には、その前端寄りの位置にバネ掛け突部４ｃが設けられている。ピストン４の後端寄りの位置には外方へ張り出されたストッパー突部４ｄが設けられ、該ストッパー突部４ｄの後側に、例えば、ゴム材料等によって形成された摺動リング５が外嵌状に取り付けられている。
【００３５】
ピストン４がシリンダー３に支持された状態において、摺動リング５がシリンダー３の内面に密着される。ピストン４はストッパー突部４ｄがシリンダー３の内フランジ部３ｂに接する状態までシリンダー３に対して前方へ移動可能とされる。
【００３６】
カバー体１１１は、ピストン４に連結された後述する給水体から突出された取付部１１２に取り付けられている（図１参照）。
【００３７】
シリンダー３の後端部にはバックキャップ６が外嵌状に取り付けられている。バックキャップ６は略円筒状に形成された被取付部６ａと該被取付部６ａの後端に設けられ被取付部６ａから上方へ突出された連結パイプ部６ｂとが一体に形成されて成り、内部にバネ支持突部６ｃが設けられている。バックキャップ６の連結パイプ部６ｂは図示しない圧力ポンプに連結され、該圧力ポンプは図示しない洗浄水タンクに連結されると共に図示しない車体内部又は車輌用前照灯１００に固定されている。
【００３８】
バックキャップ６は被取付部６ａがシリンダー３の後端部に取り付けられている。被取付部６ａがシリンダー３の後端部に取り付けられた状態において、ピストン４のバネ掛け突部４ｃとバックキャップ６のバネ支持突部６ｃとの間に引張コイルバネ７が張設される。従って、ピストン４は引張コイルバネ７によって後方、即ち、シリンダー３の内部に引き込まれる方向へ付勢される。
【００３９】
ピストン４の給水連結部４ａには給水体８が連結されている（図３参照）。給水体８は、バルブ配置部９と該バルブ配置部９から互いに反対方向へ突出された洗浄水供給管１０及び連結管１１とから成る。
【００４０】
バルブ配置部９の内部空間９ａは洗浄水供給管１０及び連結管１１に連通されている。バルブ配置部９の内部には、該バルブ配置部９の下面部から上方へ突出された止水壁９ｂが設けられている。バルブ配置部９の内部にはチェックバルブ１２が配置されている。
【００４１】
チェックバルブ１２は略円板状に形成された主部１２ａと該主部１２ａの中央部から下方へ突出された突部１２ｂとを有し、主部１２ａの中央部上面に受部１２ｃが設けられている。チェックバルブ１２の上面には皿バネ１３が配置され、該皿バネ１３の中央部が受部１２ｃに弾接されている。
【００４２】
皿バネ１３とチェックバルブ１２は、各外周部が密着された状態でバルブ配置部９の内部において取り付けられている。チェックバルブ１２は、該チェックバルブ１２に所定以上の水圧が付与されていない状態において、主部１２ａの下面が皿バネ１３のバネ力によって止水壁９ｂの上縁に弾接される。従って、チェックバルブ１２が止水壁９ｂに弾接された状態においては、バルブ配置部９の内部空間９ａが止水壁９ｂを挟んで前後に２つの空間に分離されている。
【００４３】
連結管１１はバルブ配置部９から後方へ突出され、係合孔１１ａ、１１ａを有している。連結管１１は係合孔１１ａ、１１ａにそれぞれピストン４の係合突起４ｂ、４ｂが係合されることにより給水連結部４ａに連結されている。
【００４４】
給水体８の洗浄水供給管１０には噴射ノズル１４が圧入によって連結される（図３及び図６参照）。噴射ノズル１４はヘッド部１５と供給部１６とが一体に形成されて成る（図４及び図５参照）。
【００４５】
ヘッド部１５は上下に延びる略円筒状に形成された筒部１７と該筒部１７の上側開口を閉塞するように設けられた噴射部１８とから成る。噴射部１８はルーフ部１９と側壁部２０、２０と突壁部２１とによって構成されている。
【００４６】
ルーフ部１９は筒部１７の前縁から略後方へ突出するように設けられ、先端部が略半円形状に形成されている。ルーフ部１９の先端縁には下方へ突出された立壁部１９ａが設けられている。
【００４７】
側壁部２０、２０はそれぞれルーフ部１９の左右に連続して設けられ、筒部１７の左右両側縁から上方へ突出するように設けられている。側壁部２０、２０にはそれぞれルーフ部１９に連続して後方へ行くに従って互いに左右に離隔する傾斜面が形成され、該傾斜面が規制部２０ａ、２０ａとして形成されている。規制部２０ａ、２０ａは開き角度θ（図４参照）が、例えば、約８０°とされ、噴射部１８から噴射される洗浄水の左右方向における噴射角度を規制する役割を果たす。
【００４８】
突壁部２１は筒部１７の後縁から前方へ突出するように設けられ、ルーフ部１９の後方かつ下方に位置されている。突壁部２１の先端縁はルーフ部１９の先端縁に対応した円弧状に形成されている。
【００４９】
ルーフ部１９の立壁部１９ａと突壁部２１との間には開口が形成され、この開口が洗浄水を噴射するための噴射口２２として形成されている。噴射口２２は左右方向に延びるように横長に形成され、立壁部１９ａによって噴射口２２の内側の空間より面積が小さくされている。即ち、図５に示すように、噴射口２２の上下幅Ｈ１は噴射口２２の直ぐ内側の空間の上下幅Ｈ２に比し小さくされている。
【００５０】
噴射ノズル１４の供給部１６はヘッド部１５の筒部１７から後方へ突出されている。供給部１６は略円筒状に形成され、その内部空間は洗浄水が供給される供給用流路２３として形成されている。供給用流路２３は、図５に示すように、その前端部を除いてヘッド部１５の内部の空間部１５ａに近付くに従って径が小さくなる絞り部２３ａとして形成されている。供給用流路２３の前端部は径が同じにされた同径部２３ｂとして形成されている。従って、供給用流路２３は絞り部２３ａの外側開口の径が最も大きくされている。
【００５１】
供給部１６の供給用流路２３はヘッド部１５の空間部１５ａに連通され、該空間部１５ａはヘッド部１５の下方側の開口部１５ｂ及び噴射口２２に連通されている。
【００５２】
供給部１６はその首部２４と連結部２５の外形状が異なるように形成され、首部２４は外面が円周面状に形成され、連結部２５は外面が球面状に形成されている。連結部２５の最大外径は首部２４の外径より稍大きくされている。
【００５３】
噴射ノズル１４のヘッド部１５の下方側の開口部１５ｂは、蓋部材２６によって閉塞される。蓋部材２６は内嵌部２７と該内嵌部２７の前端部下縁から前方へ突出された受け突部２８とが一体に形成されて成る。内嵌部２７の上面の後端側の部分は、後方へ行くに従って下方へ傾斜され、この傾斜面が制御面２７ａとして形成されている。
【００５４】
蓋部材２６は、内嵌部２７が空間部１５ａに下側から挿入されてヘッド部１５に圧入状態で取り付けられ、開口部１５ｂを閉塞する。蓋部材２６がヘッド部１５に取り付けられた状態においては、受け突部２８が筒部１７の下面に当接され、制御面２７ａの後端が供給用流路２３の前側開口縁の下端に略一致される。従って、供給用流路２３から空間部１５ａに供給された洗浄水は制御面２７ａに沿って流路が制御されて噴射口２２へ向けて円滑に流動される。
【００５５】
このように、蓋部材２６に制御面２７ａを形成することにより、空間部１５ａの体積や形状を変更して洗浄水の所望の流路の確保や洗浄水の噴射方向の制御を行うことができる。
【００５６】
噴射ノズル１４は供給部１６が給水体８の洗浄水供給管１０に圧入状態で挿入されて連結される。供給部１６が洗浄水供給管１０に連結された状態においては、外面が球面状に形成された連結部２５が洗浄水供給管１０の内面に接触されている。従って、噴射ノズル１４は、供給部１６の首部２４の外面が洗浄水供給管１０の前側開口縁に接する位置まで任意の方向へ傾斜可能（回転可能）とされ、この傾斜範囲内において噴射口２２から噴射される洗浄水の噴射方向の調節が可能とされている（調節が可能な範囲を図５に角度Ｓで示す。）。
【００５７】
また、噴射ノズル１４は、供給部１６の長さ方向、即ち、前後方向に延びる軸の軸回り方向へ給水体８に対して回転可能であり、この軸回り方向（図６に示すＲ方向）においても噴射口２２から噴射される洗浄水の噴射方向の調節が可能とされている。
【００５８】
さらに、噴射ノズル１４の供給部１６が給水体８の洗浄水供給管１０に連結された状態においては、洗浄水供給管１０、供給部１６及びヘッド部１５が前後方向において略直線的に配置されるため、噴射ノズル１４の高さ寸法を縮小することができる。
【００５９】
以下に、洗浄装置１の動作について説明する。
【００６０】
使用されていない状態、即ち、洗浄水がシリンダー３に供給されていない非洗浄時においては、シリンダー３の内部に配置された引張コイルバネ７のバネ力によって、ピストン４がその先端部を除いてシリンダー３の内部に引き込まれた状態とされている（図１及び図３参照）。
【００６１】
洗浄水タンクから洗浄水が圧力ポンプによってシリンダー３の内部に圧送されてくると、洗浄水はシリンダー３から給水体８のバルブ配置部９まで供給される。シリンダー３内における洗浄水の水圧が高まると、該水圧によってピストン４がシリンダー３から突出されていき、これに伴って、噴射ノズル１４、給水体８及びカバー体１１１が一体となって車体の外側へ突出されていく（図２参照）。
【００６２】
ピストン４がシリンダー３から所定の位置まで突出され、シリンダー３内の洗浄水の水圧が更に高まって該水圧が所定以上の値になると、給水体８のバルブ配置部９に配置されたチェックバルブ１２が皿バネ１３のバネ力に抗して上方へ移動されて開き、洗浄水がバルブ配置部９から洗浄水供給管１０を経て噴射ノズル１４に達する。このとき洗浄水は噴射ノズル１４の供給部１６の供給用流路２３を流動されるが、供給用流路２３の絞り部２３ａによって整流され、噴射口２２から細粒化された洗浄水が噴射されることになる。従って、供給部１６の絞り部２３ａは、カラーと同様の整流機能を有している。
【００６３】
供給用流路２３からヘッド部１５の空間部１５ａに供給された洗浄水は、供給用流路２３から空間部１５ａに流動されたときに、流路が略直交するように変更される（図５に示す矢印Ａ）。また、このとき、上記したように、洗浄水は蓋部材２６の制御面２７ａに沿うようにして流動される。
【００６４】
空間部１５ａに供給された洗浄水は、噴射ノズル１４の噴射口２２の開口方向、即ち、後方稍上方に噴射口２２から車輌用前照灯１００のレンズカバー１０２の表面へ向けて噴射される（図５に示す矢印Ｂ）。従って、洗浄水の噴射口２２から噴射される方向は供給用流路２３における流動方向に対して折り返される方向であり、両者の為す角度αは鋭角とされている（図５参照）。
【００６５】
噴射口２２から洗浄水が噴射される直前においては、噴射部１８に設けられた立壁部１９ａによって流路が変化されて乱流が生じ、噴射口２２から一定の広がりを有した状態で洗浄水が噴射される。従って、レンズカバー１０２に対して一定の広がりを有した状態の洗浄水が噴射され、洗浄効率の向上を図ることができる。
【００６６】
また、噴射口２２から洗浄水が噴射されるときには、噴射部１８の側壁部２０、２０に形成された規制部２０ａ、２０ａによって洗浄水の必要以上の広がりが抑えられる。従って、レンズカバー１０２以外の不必要な部分に対する洗浄水の噴射を防止することができると共に噴射範囲の過度の広がりによって生じ得る洗浄力の低下を防止することができる。
【００６７】
洗浄水タンクからの洗浄水のシリンダー３への供給が停止されると、水圧の低下に伴い皿バネ１３のバネ力によってチェックバルブ１２が下方へ移動されて閉じ、更に水圧が低下することによりピストン４が引張コイルバネ７のバネ力によってシリンダー３内に引き込まれ、これに伴って、噴射ノズル１４、給水体８及びカバー体１１１が洗浄前の元の位置に戻る。
【００６８】
以上に記載した通り、洗浄装置１にあっては、噴射ノズル１４がヘッド部１５と供給部１６とによって一体に形成され、供給部１６の供給用流路２３からヘッド部１５の空間部１５ａに供給された洗浄水が供給用流路２３内における流動方向に対して鋭角となる方向へ噴射口２２から噴射されるため、噴射ノズル１４の内部において洗浄水の流動方向が変換される。
【００６９】
従って、従来の洗浄装置のように、噴射ノズルを保持するためのノズルホルダーを必要とせず、その分、洗浄装置１の前端部の高さを低くすることが可能であり、洗浄装置１の薄型化を図ることができる。
【００７０】
特に、車輌用前照灯のデザイン上の制約から、前条装置１の前端部の高さ方向の縮小が求められる場合には極めて有効である。
【００７１】
また、上記のように、洗浄装置１を洗浄時に車体から外側へ突出させ非洗浄時に車体の内側へ収納するようにしているので、必要な場合にのみ洗浄装置１が車体から突出され、非使用時において車両の良好な見栄えを確保することができると共に洗浄装置１の損傷の防止を図ることができる。また、非洗浄時にはピストン４がシリンダー３の内部に引き込まれて洗浄装置１が車体の内側に収納されるため、その分、洗浄装置１の小型化を図ることができる。
【００７２】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７３】
【図１】図２乃至図６と共に本発明の最良の形態を示すものであり、本図は、非洗浄時における状態を一部を断面にして車体の一部とともに示す洗浄装置の側面図である。
【図２】洗浄時における状態を一部を断面にして車体の一部とともに示す洗浄装置の側面図である。
【図３】洗浄装置の拡大断面図である。
【図４】噴射ノズルの拡大平面図である。
【図５】蓋部材が取り付けられた状態で示す噴射ノズルの拡大断面図である。
【図６】噴射ノズルと給水体を示す拡大分解斜視図である。
【図７】従来の洗浄装置を車体の一部とともに示す断面図である。
【符号の説明】
【００７４】
１００…車輌用前照灯（車輌用照明灯）、１…洗浄装置、８…給水体、１４…噴射ノズル、１５…ヘッド部、１５ａ…空間部、１５ｂ…開口部、１６…供給部、２２…噴射口、２３…供給用流路、２５…連結部、２６…蓋部材、２７ａ…制御面
【図１】
2005178569.tif 000003
【図２】
2005178569.tif 000004
【図３】
2005178569.tif 000005
【図４】
2005178569.tif 000006
【図５】
2005178569.tif 000007
【図６】
2005178569.tif 000008
【図７】
2005178569.tif 000009